(57)【要約】      （修正有）【課題】椅子に座った時に足元を通る風をよけることができ、冬場においても暖かく使用することができる座布団カバーを提供する。【解決手段】座布団３０を収納可能な袋状部１１と、この袋状部１１に連続して設けられた風よけ部１２とを備え、袋状部１１及び風よけ部１２には、椅子２０に取り付けるための取付部１３，１４がそれぞれ設けられている。袋状部１１は、例えば、椅子２０の座面２１に載置して用いられ、風よけ部１２は、例えば、椅子２０の座面２１から下方に向かって垂下させて用いることができる。【選択図】図４
0003186116.tif 000002
【実用新案登録請求の範囲】
【請求項１】
椅子に取り付けて使用する座布団カバーであって、
前記椅子の座面に載置して用いられ、座布団を収納可能な袋状部と、
この袋状部に連続して設けられ、前記座面から下方に向かって垂下させて用いることが可能な風よけ部とを備え、
前記袋状部及び前記風よけ部には、前記椅子に取り付けるための取付部が設けられた
ことを特徴とする座布団カバー。
【請求項２】
前記袋状部及び前記風よけ部は、矩形状の１枚の布を折り返し、折り返した部分の側辺を縫い合わせることにより形成されたことを特徴とする請求項１記載の座布団カバー。
【請求項３】
前記風よけ部の前記取付部は、少なくとも一部がゴムにより形成されていることを特徴とする請求項１又は請求項２に記載の座布団カバー。
【請求項４】
前記袋状部には開口部が設けられ、この開口部には、中に収納した座布団が前記袋状部から突出することを防止するために、内側に折り返された折返部が設けられたことを特徴とする請求項１から請求項３のいずれか１に記載の座布団カバー。
【考案の詳細な説明】
【技術分野】
【０００１】
本考案は、椅子に配置して用い、座布団としても用いることができる座布団カバーに関する。
【背景技術】
【０００２】
椅子のすわり心地をよくするために、椅子の座面の上に座布団を載置して座る場合がある。この場合、椅子の上に座布団を載置したのみでは、立ち座りの際、又は、座っているときにおいても、座布団がずれてしまい使用しにくいという問題がある。そこで、座布団に紐を取り付け椅子に固定できるようにしたり、また、座布団を椅子に載置した状態で座布団と椅子の座面を覆うようにカバーをかけることが行われている（例えば、特許文献１参照）。また、一方で、冬場において椅子を利用する場合には、足元に風が通り、足元が寒く感じられる場合があるという問題もあった。従来の座布団や、椅子カバーでは、これらの問題を解決するものはなく、改善が望まれていた。
【先行技術文献】
【特許文献】
【０００３】
【特許文献１】実開平６−２６６１７号公報
【考案の概要】
【考案が解決しようとする課題】
【０００４】
本考案は、このような問題に基づきなされたものであり、椅子に座った時に足元を通る風をよけることができ、冬場においても暖かく使用することができる座布団カバーを提供することを目的とする。
【課題を解決するための手段】
【０００５】
本考案の座布団カバーは、椅子に取り付けて使用するものであって、椅子の座面に載置して用いられ、座布団を収納可能な袋状部と、この袋状部に連続して設けられ、座面から下方に向かって垂下させて用いることが可能な風よけ部とを備え、袋状部及び風よけ部には、椅子に取り付けるための取付部が設けられたものである。
【考案の効果】
【０００６】
本考案の座布団カバーによれば、風よけ部を備えるようにしたので、冬場においては、風よけ部を座面から下に垂らすことにより、足元を通る風をよけることができ、暖かく過ごすことができる。また、冬場以外において風よけが不要な場合には、例えば、風よけ部を袋状部に重ねて折り畳めば、風よけ部が邪魔にならず、かつ、足元に風を通すことができ、涼しく過ごすことができる。更に、袋状部を備えるようにしたので、季節に応じて、綿、スポンジ、又は、井草等の座布団を入れて使用することができると共に、袋状に２重になっているので、座布団をいれなくても、座布団の代わりに使用することもできる。加えて、取付部を設けるようにしたので、椅子に固定することができ、立ち座り、又は、座っているときに、ずれてしまうことを防止することができる。
【０００７】
また、袋状部及び風よけ部は、矩形状の１枚の布を折り返し、折り返した部分の側辺を縫い合わせることにより形成するようにすれば、簡単な構成で、簡単に作ることができる。
【０００８】
更に、風よけ部の取付部は、少なくとも一部をゴムにより形成するようにすれば、風よけ部を座面から下に垂らして用いる場合に、風よけ部に足が当たっても、取付部が伸びるので、風よけ部が邪魔になり難く、足を自由に動かすことができる。また、座面が脚に対して回転可能とされている椅子であっても、取付部が伸びるので、座面を回転させて使用することができる。
【０００９】
加えて、袋状部の開口部に、内側に折り返した折返部を設けるようにすれば、この折返部に座布団の一部を挿入することにより、中に収納した座布団が袋状部から突出することを防止することができる。
【図面の簡単な説明】
【００１０】
【図１】本考案の一実施の形態に係る座布団カバーの構成を表す図である。
【図２】図１に示したＩ−Ｉ線に沿った断面図である。
【図３】図１に示した座布団カバーを展開した状態を表す展開図である。
【図４】図１に示した座布団カバーの一使用状態例を表す図である。
【図５】図１に示した座布団カバーの他の使用状態例を表す図である。
【考案を実施するための形態】
【００１１】
以下、本考案の実施の形態について、図面を参照して詳細に説明する。
【００１２】
図１は、本考案の一の実施の形態に係る座布団カバー１０の構成を表すものである。図２は、図１に示したＩ−Ｉ線に沿った断面構成を表すものである。図３は、座布団カバー１０を展開した状態を表すものである。図４及び図５は、座布団カバー１０の使用状態例を表すものである。この座布団カバー１０は、例えば、椅子２０に取り付けて使用するものであり、座布団３０を収納可能な袋状部１１と、この袋状部１１に連続して設けられた風よけ部１２とを備えている。袋状部１１は、例えば、椅子２０の座面２１に載置して用いられ、風よけ部１２は、例えば、椅子２０の座面２１から下方に向かって垂下させて用いることができる。袋状部１１には、例えば、座布団３０を収納するための開口１１Ａが設けられている。
【００１３】
袋状部１１及び風よけ部１２は、例えば、布により構成され、キルティング生地等のある程度の厚みのある生地により構成されることが好ましい。すわり心地がよく、また、座布団を中に入れなくても座布団の代わりに使用することもできるからである。また、袋状部１１及び風よけ部１２は、例えば、矩形状の１枚の布の一部を途中まで折り返し、折り返した部分の側辺を縫い合わせることにより形成されることが好ましい。簡単な構成で、簡単に作ることができるからである。具体的には、例えば、一方向に伸長された長方形の１枚の布について、長手方向における一方の一部１１Ｂを他方に向かって途中まで折り返し、折り返した部分の長手方向の側辺１１Ｃを縫い合わせることにより形成されることが好ましい。
【００１４】
これにより、例えば、矩形状の袋状部１１と矩形状の風よけ部１２が連続して一体的に形成され、袋状部１１の風よけ部１２の側に、座布団を入れるための開口部１１Ａが形成される。袋状部１１及び風よけ部１２の大きさは自由に設定することができ、形状は長方形でも正方形でもよい。例えば、袋状部１１及び風よけ部１２の一辺の長さは、４０ｃｍから５０ｃｍ程度とすることが好ましく、４３ｃｍから４７ｃｍ程度とすればより好ましい。小さすぎると使い心地が悪く、大きすぎると使い難いからである。
【００１５】
袋状部１１の開口部１１Ａには、端部を内側に折り返した折返部１１Ｄが設けられていることが好ましい。袋状部１１の中に収納した座布団３０の端部を折返部１１Ｄに挿入することにより、座布団３０が袋状部１１から突出することを防止することができるからである。折返部１１Ｄの折り返し側端部は、例えば、切ったままの状態か、又は、端部を折り返さずにそのままの状態でほつれ防止のミシン処理をするかあるいはパイピングをすることが好ましい。端部を折り返してミシン処理等をすると、開口部１１Ａの厚みが厚くなり、座った時に違和感が生じてしまう恐れがあるからである。折返部１１Ｄの長さは、例えば、３ｃｍから８ｃｍ程度とすることが好ましい。短すぎると座布団３０を挟むことが難しく、長すぎると折返部１１Ｄが邪魔になり、座った時に違和感が生じてしまう恐れがあるからである。
【００１６】
なお、袋状部１１は、側辺１１Ｃを縫い合わせたのち裏返して縫い代を中に収納するようにしてもよいが、側辺１１Ｃを縫い合わせたのち縫い代をパイピングするようにしてもよい、風よけ部１２の周縁部についても、折り返してほつれ止め処理をしてもよいが、パイピングするようにしてもよい。
【００１７】
袋状部１１及び風よけ部１２には、例えば、椅子２１に取り付けるための取付部１３，１４がそれぞれ設けられている。取付部１３は、例えば、一対の紐状部材よりなり、袋状部１１の風よけ部１２と反対側の角部にそれぞれ設けられている。取付部１４は、例えば、一対の紐状部材よりなり、風よけ部１２の袋状部１１と反対側の角部にそれぞれ設けられている。袋状部１１の取付部１３は、例えば、伸縮性のないものにより構成されることが好ましい。袋状部１１をしっかりと椅子２０に固定することができるからである。
【００１８】
一方、風よけ部１２の取付部１４は、伸縮性を有していた方が好ましく、例えば、少なくとも一部がゴム１４Ａにより形成されていることが好ましい。風よけ部１２を座面２１から下に垂らして用いる場合に、風よけ部１２に足が当たっても、取付部１４が伸びることにより、風よけ部１２が邪魔になり難く、足を自由に動かすことができるからである。また、座面２１が脚２２に対して回転可能とされている椅子２０であっても、取付部１４が伸びることにより、座面２１を回転させて使用することができるからである。より好ましくは、取付部１４の風よけ部１２の側をゴム１４Ａにより構成し、先端側を伸縮性のないものにより構成するようにすることが好ましい。先端側を伸縮性のないものにより構成することにより、しっかりと結んで固定することができるからである。
【００１９】
この座布団カバー１０は、次のようにして用いることができる。例えば、冬場であれば、図４に示したように、袋状部１１の中に座布団３０を収納して椅子２０の座面２１に載置し、取付部１３により椅子２０に固定すると共に、風よけ部１２を椅子２０の座面２１から下方に向かって垂下させ、取付部１４により椅子２０に固定して用いることができる。これにより、冬場等において足元が寒い時に、足元を通る風をよけることができる。また、冬場以外において風よけが不要な場合には、例えば、図５に示したように、風よけ部１２を袋状部１１に重ねて折り畳み、椅子２０の座面２１に載置して、取付部１３，１４により椅子２０に固定して用いることができる。これにより、風よけ部が邪魔にならずに、かつ、足元に風を通すことができ、涼しく過ごすことができる。座布団３０は、季節に応じて、綿、スポンジ、又は、井草等の座布団を入れて使用することができる。更に、袋状部１１は２重になっており、風よけ部１２を重ねればさらに厚くなるので、座布団をいれなくても、座布団の代わりに使用することもできる。
【００２０】
このように本実施の形態によれば、風よけ部１２を備えるようにしたので、冬場においては、風よけ部１２を座面２１から下に垂らすことにより、足元を通る風をよけることができ、暖かく過ごすことができる。また、冬場以外において風よけが不要な場合には、例えば、風よけ部１２を袋状部１１に重ねて折り畳めば、風よけ部１２が邪魔にならず、かつ、足元に風を通すことができ、涼しく過ごすことができる。更に、袋状部１１を備えるようにしたので、季節に応じて、綿、スポンジ、又は、井草等の座布団３０を入れて使用することができると共に、袋状に２重になっているので、座布団３０をいれなくても、座布団３０の代わりに使用することもできる。加えて、取付部１３，１４を設けるようにしたので、椅子２０に固定することができ、立ち座り、又は、座っているときに、ずれてしまうことを防止することができる。
【００２１】
また、袋状部１１及び風よけ部１２は、矩形状の１枚の布を折り返し、折り返した部分の側辺を縫い合わせることにより形成するようにすれば、簡単な構成で、簡単に作ることができる。
【００２２】
更に、風よけ部１２の取付部１４は、少なくとも一部をゴムにより形成するようにすれば、風よけ部１２を座面２１から下に垂らして用いる場合に、風よけ部１２に足が当たっても、取付部１４が伸びるので、風よけ部１２が邪魔になり難く、足を自由に動かすことができる。また、座面２１が脚２２に対して回転可能とされている椅子２０であっても、取付部１４が伸びるので、座面２１を回転させて使用することができる。
【００２３】
加えて、袋状部１１の開口部１１Ａに、内側に折り返した折返部１１Ｄを設けるようにすれば、この折返部１１Ｄに座布団３０の一部を挿入することにより、中に収納した座布団３０が袋状部１１から突出することを防止することができる。
【００２４】
以上、実施の形態及び実施例を挙げて本考案を説明したが、本考案は上記実施の形態及び実施例に限定されるものではなく、種々変形可能である。例えば、上記実施の形態では、各構成要素について具体的に説明したが、全ての構成要素を備えていなくてもよく、また、他の構成要素を備えていてもよい。
【符号の説明】
【００２５】
１０…座布団カバー、１１…袋状部、１１Ａ…開口部、１１Ｄ…折返部、１２…風よけ部、１３，１４…取付部、１４Ａ…ゴム、２０…椅子、２１…座面、２２…脚、３０…材布団
【図１】
0003186116.tif 000003
【図２】
0003186116.tif 000004
【図３】
0003186116.tif 000005
【図４】
0003186116.tif 000006
【図５】
0003186116.tif 000007